(57)【要約】      （修正有）【課題】鉄筋を配した型枠内に生コンクリートを流し込む際に、ピンが基体から外れ難く、鉄筋の位置ずれが防止できる鉄筋挟持用のスペーサーを提供する。【解決手段】挿通孔１１および切欠１３を有する略円盤状の基体１と、１対のフック部２１、２１および埋込部２２を有するピン２とを有する鉄筋挟持用のスペーサーＡは、挿通孔１１の基体側壁１４にフック部２１、２１を臨ませ、挿通孔１１の底近くの基体側壁１４から基体内部に埋込部２２を埋入させている。基体側壁１４から基体内部にピン２の埋込部２２を埋入させているため、生コンクリートを筋組付体に打ち込む際に鉄筋挟持用のスペーサーＡに振動が加わってもピン２が基体１から外れず、鉄筋の位置ずれが防止できる。【選択図】図１
0003196952.tif 000002
【実用新案登録請求の範囲】
【請求項１】
基体中心部に形成される挿通孔、および基体外周から前記挿通孔に至る切欠を有する略円盤状の基体と、
対称軸に対して互いに対称に内方に折り曲げられる１対のフック部、および埋込部を有するピンとからなる鉄筋挟持用のスペーサーであって、
前記挿通孔の基体側壁に前記フック部を臨ませ、前記挿通孔の底近くの基体側壁から基体内部に前記埋込部を埋入させていることを特徴とする鉄筋挟持用のスペーサー。
【請求項２】
基体中心部に形成される挿通孔、および基体外周から前記挿通孔に至る切欠を有する略円盤状の基体と、
対称軸に対して互いに対称に内方に折り曲げられる１対のフック部、この１対のフック部が存在する第１平面と１００度から１７０度の範囲で交差する第２平面に存在する埋込部を有するピンとからなる鉄筋挟持用のスペーサーであって、
前記挿通孔の基体側壁に前記フック部を臨ませ、前記挿通孔の底近くの基体側壁から基体内部に前記埋込部を埋入させていることを特徴とする鉄筋挟持用のスペーサー。
【請求項３】
前記基体は、モルタルまたはコンクリート製であり、
前記ピンは、ステンレス鋼であることを特徴とする請求項１または請求項２に記載の鉄筋挟持用のスペーサー。
【請求項４】
前記挿通孔の断面は、三角形、ハート形、または楕円形であることを特徴とする請求項１乃至請求項３の何れか１項に記載の鉄筋挟持用のスペーサー。
【請求項５】
１個の基体に対して前記ピンを２個とし、
一方の挿通孔の基体側壁に１つ目のピンのフック部を臨ませ、前記挿通孔の底近くの基体側壁から基体内部に１つ目のピンの埋込部を埋入させ、
他方の挿通孔の基体側壁に２つ目のピンのフック部を臨ませ、前記挿通孔の底近くの基体側壁から基体内部に２つ目のピンの埋込部を埋入させていることを特徴とする請求項１乃至請求項４の何れか１項に記載の鉄筋挟持用のスペーサー。
【考案の詳細な説明】
【技術分野】
【０００１】
本考案は、生コンクリートを打ち込む際に、鉄筋の位置が変わらない様にするための鉄筋挟持用のスペーサーに関する。
【背景技術】
【０００２】
鉄筋を配した型枠内に生コンクリートを流し込んで鉄筋コンクリートを施工する際には、鉄筋の位置や鉄筋どうしの間隔を保持する必要があるためスペーサーが用いられる。
【先行技術文献】
【特許文献】
【０００３】
【特許文献１】実用新案登録３１２２００６号公報
【０００４】
本考案者は、以前、鉄筋挿入孔に鉄筋保持ばねを嵌め込んだ鉄筋コンクリート用スペーサーを考案した（特許文献１）。
【考案の概要】
【考案が解決しようとする課題】
【０００５】
生コンクリートを鉄筋組付体に打ち込む際には、空所が出来ない様に振動を与えながら生コンクリートを流し込む場合が多々ある。
【０００６】
上記特許文献１の鉄筋コンクリート用スペーサーを用いると、生コンクリートを鉄筋組付体に打ち込む際、振動により鉄筋保持ばねが鉄筋挿入孔から外れる場合が有ることに気がついた。
【０００７】
本考案の目的は、鉄筋を配した型枠内に生コンクリートを流し込む際に、ピンが基体から外れ難く、鉄筋の位置ずれが防止できる鉄筋挟持用のスペーサーの提供にある。
【課題を解決するための手段】
【０００８】
（請求項１について）
鉄筋挟持用のスペーサーは、略円盤状の基体とピンとからなる。
基体は、基体中心部に形成される挿通孔、および基体外周から挿通孔に至る切欠を有する。
【０００９】
ピンは、１対のフック部と埋込部とを有する。
ピンのフック部は、対称軸に対して互いに対称に内方に折り曲げられ、挿通孔の基体側壁に臨んでいる。
ピンの埋込部は、挿通孔の底近くの基体側壁から基体内部に埋入している。
【００１０】
以下の手順で、鉄筋挟持用のスペーサーを鉄筋に装着する。
基体の切欠を鉄筋に差し込み、挿通孔に嵌め込む。
この際、ピンのフック部が広がり、挿通孔に嵌め込まれた鉄筋をフック部が挟持する。  基体側壁から基体内部にピンの埋込部を埋入させているため、生コンクリートを打ち込む際に鉄筋挟持用のスペーサーに振動が加わってもピンが基体から外れ難く、鉄筋の位置ずれが防止できる。
【００１１】
（請求項２について）
鉄筋挟持用のスペーサーは、略円盤状の基体とピンとからなる。
基体は、基体中心部に形成される挿通孔、および基体外周から挿通孔に接続する切欠を有する。
【００１２】
ピンは、１対のフック部と埋込部とを有し、１対のフック部が第１平面に存在し、第１平面と１００度から１７０度の範囲で交差する第２平面に埋込部が存在する。
ピンのフック部は、対称軸に対して互いに対称に内方に折り曲げられ、挿通孔の基体側壁に臨んでいる。
ピンの埋込部は、挿通孔の底近くの基体側壁から基体内部に埋入している。
【００１３】
以下の手順で、鉄筋挟持用のスペーサーを鉄筋に装着する。
基体の切欠を鉄筋に差し込み、挿通孔に嵌め込む。
この際、ピンのフック部が広がり、挿通孔に嵌め込まれた鉄筋をフック部が挟持する。  
【００１４】
基体側壁から基体内部にピンの埋込部を埋入させているため、生コンクリートを打ち込む際に鉄筋挟持用のスペーサーに振動が加わってもピンが基体から外れ難く、鉄筋の位置ずれが防止できる。
【００１５】
なお、埋込部が存在する第２平面と、フック部が存在する第１平面とが１００度から１７０度の範囲で交差しているので基体内部に深くピンが埋入され機械的強度に優れる。
【００１６】
（請求項３について）
基体は、モルタルまたはコンクリート製であるので、打ち込んだ生コンクリートにスペーサーが馴染む。
また、ピンは、ステンレス鋼であるので錆びない。また、バネ性を有するとともに強度に優れるので鉄筋を強固に挟持する。
【００１７】
（請求項４について）
基体の挿通孔の断面は、三角形、ハート形、または楕円形であるため、金型を使って基体を製造し易い。また、基体の切欠を鉄筋に差し込む際に、挿通孔に鉄筋を上手く嵌め込むことができる。
【００１８】
（請求項５について）
スペーサーは、１個の基体に対してピンを２個とし、一方の挿通孔の基体側壁に１つ目のピンのフック部を臨ませ、挿通孔の底近くの基体側壁から基体内部に１つ目のピンの埋込部を埋入させ、他方の挿通孔の基体側壁に２つ目のピンのフック部を臨ませ、挿通孔の底近くの基体側壁から基体内部に２つ目のピンの埋込部を埋入させている。
このため、２個のピンで鉄筋を強固に挟持することができる。
【図面の簡単な説明】
【００１９】
【図１】本発明の実施例１に係る鉄筋挟持用のスペーサーの説明図である。
【図２】その鉄筋挟持用のスペーサーを鉄筋に装着する手順の説明図である。
【図３】本発明の実施例２に係る鉄筋挟持用のスペーサーの説明図である。
【図４】挿通孔の他の実施例に係る説明図である。
【図５】（ａ）は本発明の実施例３に係る鉄筋挟持用のスペーサーの説明図であり、（ｂ）は本発明の実施例４に係る鉄筋挟持用のスペーサーの説明図である。
【図６】ピンの他の実施例に係る説明図である。
【考案を実施するための形態】
【００２０】
鉄筋挟持用のスペーサーは、基体中心部に形成される挿通孔、および基体外周から挿通孔に至る切欠を有する略円盤状の基体と、対称軸に対して互いに対称に内方に折り曲げられる１対のフック部、この１対のフック部が存在する第１平面と１３５度で交差する第２平面に存在する埋込部を有するピンとからなり、挿通孔の基体側壁にフック部を臨ませ、挿通孔の底近くの基体側壁から基体内部に埋込部を埋入させている。
【００２１】
基体の切欠を鉄筋に差し込んで挿通孔に嵌め込むとピンのフック部が広がり、挿通孔に嵌め込まれた鉄筋がピンのフック部に挟持される。
基体側壁から基体内部にピンの埋込部を埋入させているため、生コンクリートを打ち込む際に鉄筋挟持用のスペーサーに振動が加わってもピンが基体から外れ難く、鉄筋の位置ずれが防止できる。
【実施例１】
【００２２】
本考案の実施例１（請求項１〜４に対応）に係る鉄筋挟持用のスペーサーＡを、図１、図２に基づいて説明する。
図１に示す如く、鉄筋挟持用のスペーサーＡは、モルタル製の基体１と、ステンレス製のピン２とからなる。
【００２３】
基体１は、直径６ｃｍ、厚さ１２ｍｍの略円盤状であり、外周に複数の窪み１０が形成されている。
挿通孔１１が基体中心部に設けられ、基体外周１２から挿通孔１１に達する長さ２４ｍｍの切欠１３が形成されている。
【００２４】
切欠１３は、鉄筋３へ差し込み可能な様に、幅（１１ｍｍ）が挟持する鉄筋３の直径より大きく設定されている。
挿通孔１１は、底辺２１ｍｍ、斜辺１６ｍｍの略三角形である。
【００２５】
ピン２は、挿通孔１１に対応する形状の１対のフック部２１、２１と、埋込部２２とからなる。
ピン２のフック部２１、２１は、第１平面２４に存在し、対称軸２３に対して互いに対称に内方に折り曲げられる。
【００２６】
ピン２の埋込部２２は、フック部２１、２１が存在する第１平面２４と１３５度で交差する第２平面２５に存在する。
挿通孔１１の基体側壁１４にフック部２１、２１を臨ませ、挿通孔１１の底近くの基体側壁１４から基体内部に埋込部２２を埋入させている。
【００２７】
つぎに、この鉄筋挟持用のスペーサーＡを鉄筋３に装着して型枠４に臨ませる手順を図２とともに説明する。
型枠４、鉄筋３、および鉄筋挟持用のスペーサーＡの最初の位置関係を図２の（ａ）に示す。
【００２８】
図２の（ａ）において、矢印１５に示す様に、鉄筋３の図示上方から鉄筋挟持用のスペーサーＡの切欠１３を鉄筋３に差し込み、更に押し込んで挿通孔１１に嵌め込む。
この際、ピン２のフック部２１、２１が広がり、挿通孔１１に嵌め込まれた鉄筋３をフック部２１、２１が挟持する。
【００２９】
次に、図２の（ｂ）の矢印１５に示す様に、基体１を回転し、切欠１３が図示上方を向く様な図２の（ｃ）の位置で止める。この際、ピン２の埋込部２２が基体１に埋設されているので、図２の（ｂ）において、基体１を回転する際、フック部２１、２１が鉄筋３を挟持し続けながらピン２が基体１と一体的に回転する。
【００３０】
鉄筋挟持用のスペーサーＡを鉄筋３に装着して型枠４に臨ませた図２の（ｃ）の筋組付体に生コンクリートを流し込んで鉄筋コンクリートにする。この際、空所が出来ない様に振動を与えながら生コンクリートを流し込む。
【００３１】
本実施例の鉄筋挟持用のスペーサーＡは、以下の利点を有する。
基体側壁１４から基体内部にピン２の埋込部２２を埋入させているため、生コンクリートを筋組付体に打ち込む際に鉄筋挟持用のスペーサーＡに振動が加わってもピン２が基体１から外れず、鉄筋３の位置ずれが防止できる。
【００３２】
なお、埋込部２２が存在する第２平面２５と、フック部２１が存在する第１平面２４とが１３５度で交差しているので、基体内部に深くピン２の埋込部２２が埋入される。このため、鉄筋挟持用のスペーサーＡは機械的強度に優れ、ピン２が基体１から外れ難い。
【００３３】
本考案の実施例２（請求項１〜５に対応）に係る鉄筋挟持用のスペーサーＢを、図３に基づいて説明する。
図３に示す如く、鉄筋挟持用のスペーサーＢは、モルタル製の基体１と、ステンレス製のピン２、２とからなる。
【００３４】
基体１、挿通孔１１、切欠１３の大きさや形状は、実施例１の鉄筋挟持用のスペーサーＡと同じである。
また、ピン２の大きさや形状は、フック部２１、埋込部２２を含め、実施例１の鉄筋挟持用のスペーサーＡと同じである。
【００３５】
ピン２は、挿通孔１１の左右の基体側壁１４、１６にフック部２１、２１を臨ませ、挿通孔１１の底近くの基体側壁１４、１６から基体内部に埋込部２２を埋入させている。
【００３６】
この鉄筋挟持用のスペーサーＢを鉄筋に装着して型枠に臨ませる手順は、実施例１と同様である。
【００３７】
本実施例の鉄筋挟持用のスペーサーＢは、以下の利点を有する。
基体側壁１４、１６から基体内部にピン２、２の埋込部２２を埋入させているため、生コンクリートを筋組付体に打ち込む際に鉄筋挟持用のスペーサーＢに振動が加わってもピン２が基体１から外れず、鉄筋の位置ずれが防止できる。
【００３８】
鉄筋挟持用のスペーサーＢは、２つのピン２、２のフック部２１で鉄筋を挟持しているので機械的強度に優れ、ピン２が基体１から外れ難い。
【００３９】
（変形例）
ａ．挿通孔１７、１８、１９の形状は、図４の楕円形（ａ）、ハート形（ｂ）、正三角形（ｃ）などでも良い（請求項３に対応）。
【００４０】
ｂ．図５の（ａ）に示す様に、実施例３の鉄筋挟持用のスペーサーＣは、挿通孔１１の基体側壁１４にフック部５１を臨ませ、基体内部に埋込部５２を埋入させている。
埋込部５２は、第１埋込部５２ａと第２埋込部５２ｂとからなり、挿通孔１１の底近くの基体側壁１４から基体内部に第１埋込部５２ａを基体側壁１４と垂直に埋込させ、第２埋込部５２ｂを基体側壁１４と水平に埋入させている。
ピン５の製造が容易であり、基体側壁１４から基体内部に埋込部５２が埋入しているので、生コンクリートを筋組付体に打ち込む際に鉄筋挟持用のスペーサーＣに振動が加わってもピン５が基体１から外れず、鉄筋の位置ずれが防止できる。
【００４１】
ｃ．図５の（ｂ）に示す様に、埋込部６２、６２が繋がっていないピン６を採用しても良い。
この実施例４の鉄筋挟持用のスペーサーＤは、フック部６１を挿通孔１１の基体側壁１４に臨ませ、挿通孔１１の基体側壁１４に形成した穴ｈ、ｈにピン６の埋込部６２、６２を差し込み、接着剤で固定している。
ピン６の製造が容易であり、基体側壁１４の穴ｈ、ｈに埋込部６２、６２を差し込んで接着剤で固定しているいるので、生コンクリートを筋組付体に打ち込む際に鉄筋挟持用のスペーサーＤに振動が加わってもピン６が基体１から外れず、鉄筋の位置ずれが防止できる。
【００４２】
ｄ．図６の（ａ）〜（ｅ）に示す様に、ピンの大きさや形状は、鉄筋の太さに応じて変えても良い。
【符号の説明】
【００４３】
Ａ、Ｂ、Ｃ、Ｄ  鉄筋挟持用のスペーサー
１  基体
２、５、６  ピン
１１、１７、１８、１９  挿通孔
１３  切欠
１４  基体側壁
２３  対称軸
２１、５１、６１  フック部
２２、５２、６２  埋込部
２４  第１平面
２５  第２平面
【図１】
0003196952.tif 000003
【図２】
0003196952.tif 000004
【図３】
0003196952.tif 000005
【図４】
0003196952.tif 000006
【図５】
0003196952.tif 000007
【図６】
0003196952.tif 000008